(57)【要約】【課題】駆動ベルトの係合部が変形、破壊され易い。【解決手段】キャリッジ駆動ピン６と係合する係合部３を有する可撓性の駆動ベルト１は、係合部３の突出方向と反対側の面に複数の凹凸からなる歯状部２を有し、歯状部２の歯先２ａから係合部３の先端３ａまで、補強部材であるバネ部材９を貫通して埋設する。バネ部材９は、Ｕ字形状に形成された２本の腕部の間に、駆動ベルト１の長手方向の全周にわたり埋設されている補強用の心線５を挟み込むようにして埋設する。この駆動ベルトを印字ヘッドが往復移動して印字を行うプリンタに用いる。係合部の変形、破壊が防止され、信頼性に優れた駆動ベルト及び駆動ベルトを用いたプリンタが提供できる。【選択図】　　　図１
2004092845.tif 000002
【特許請求の範囲】
【請求項１】
被駆動部材と係合する係合部を有する可撓性の駆動ベルトにおいて、前記係合部が変形、破壊されることを防止するための補強部材を設けたことを特徴とする駆動ベルト。
【請求項２】
前記係合部は、前記駆動ベルトより突出して設けられていることを特徴とする請求項１記載の駆動ベルト。
【請求項３】
前記補強部材は、前記駆動ベルト内に少なくとも一部が埋設されていることを特徴とする請求項１または２に記載の駆動ベルト。
【請求項４】
前記補強部材は、Ｕ字形状に形成されたバネ線材であることを特徴とする請求項１乃至３のいずれか１項に記載の駆動ベルト。
【請求項５】
前記駆動ベルトはその内部の長手方向に補強心線を有し、前記補強部材は、Ｕ字形状をした２本の腕部の間で、前記補強心線を挟み込むように設けられていることを特徴とする請求項４に記載の駆動ベルト。
【請求項６】
前記駆動ベルトは、前記係合部の突出方向と反対側の面に複数の凹凸からなる歯状部を有し、前記補強部材は、前記歯状部の凸部から前記係合部までを貫通して設けられていることを特徴とする請求項１乃至５のいずれか１項に記載の駆動ベルト。
【請求項７】
請求項１乃至６に記載の駆動ベルトを有し、この駆動ベルトにより印字ヘッドを往復移動させて印字を行うことを特徴とするプリンタ。
【発明の詳細な説明】
【０００１】
【発明の属する技術分野】
本発明は、被駆動部材と係合する係合部を有する駆動ベルト及び駆動ベルトを用いたプリンタに関する。
【０００２】
【従来の技術】
従来、プリンタにおいて、可撓性を有するキャリッジ駆動ベルトにキャリッジ駆動部材としてのキャリッジ駆動ピンを固定し、そのキャリッジ駆動ピンをキャリッジに係合させ、キャリッジ駆動ベルトを回動させることにより印字ヘッドを搭載したプラテン部に対して往復移動させることは周知である（例えば、特許文献１参照）。
【０００３】
図４は、上記特許文献１に開示されている、駆動ベルトにキャリッジ駆動ピンを取り付ける状態の斜視図である。図５は、図４の駆動ベルトの係合部の部分断面図である。図４及び図５において、１０は可撓性を有する駆動ベルトであり、該駆動ベルト１０は、内周面の全周にわたって図示しないキャリッジ駆動プーリと噛合する噛み合い用の多数の歯状部１１を備えたエンドレスのタイミングベルトである。前記駆動ベルト１０の外周面の一箇所には外方に突出する、きのこ状の係合部１２が一体形成されている。この係合部１２の基端部にはその左右方向に所定幅のくびれ部１３が形成されていて、該くびれ部１３と駆動ベルト１０の外周面とで縦溝が形成される。
【０００４】
１４はキャリッジ駆動ピンであり、キャリッジ駆動ピン１４は、図示しないキャリッジの係合孔に係合する円筒状のピン形状をした差し込み部１５と、前記駆動ベルト１０のくびれ部１３を挟み込むように係合する所定の間隔を有する２つの係合脚１６とからなる。前記キャリッジ駆動ピン１４の差し込み部１５を上にして、係合脚１６を前記駆動ベルト１０のくびれ部１３に挿嵌させて固定する。従って、キャリッジ駆動ピン１４の側面は駆動ベルト１０の外周面に密着し、駆動ベルト１０に直立した状態で係合、固定される。
【０００５】
図５に示すように、可撓性を有する前記駆動ベルト１０は、コロロプレンゴムまたはウレタンゴムを材料にして、ベルト補強のために駆動ベルト１０の長手方向の全周にわたり、アラミドコードなどよりなる心線１７を埋設した状態で、金型成形により前記歯状部１１と係合部１２を一体形成する。
【０００６】
【特許文献１】
国際公開第９８／４５１２４号パンフレット
【０００７】
【発明が解決しようとする課題】
上述したように、駆動ベルトにキャリッジ駆動ピンを固定し、そのキャリッジ駆動ピンをキャリッジに係合させ、駆動ベルトを回動させることにより印字ヘッドを搭載したプラテン部に対して往復移動（図４のＡ、Ｂ方向）させる。その際にキャリッジ駆動ピンには駆動ベルトの走行方向に対して繰り返し押圧力Ｆ１、Ｆ２がかかることになる。そのため、駆動ベルトの係合部で、特に強度的に弱いくびれ部に、亀裂１８（図５参照）が発生し易く、係合部の変形、破壊といった致命的な問題があった。
【０００８】
本発明は、上記従来の課題に鑑みなされたものであり、その目的は、駆動ベルトの係合部が変形、破壊し難い、信頼性の高い駆動ベルト及び駆動ベルトを用いたプリンタを提供するものである。
【０００９】
【課題を解決するための手段】
上記目的を達成するために、本発明における駆動ベルトは、被駆動部材と係合する係合部を有する可撓性の駆動ベルトにおいて、前記係合部が変形、破壊されることを防止するための補強部材を設けたことを特徴とするものである。
【００１０】
また、前記係合部は、前記駆動ベルトより突出して設けられていることを特徴とするものである。
【００１１】
また、前記補強部材は、前記駆動ベルト内に少なくとも一部が埋設されていることを特徴とするものである。。
【００１２】
また、前記補強部材は、Ｕ字形状に形成されたバネ線材であることを特徴とするものである。
【００１３】
また、前記駆動ベルトは長手方向に補強心線を有し、前記補強部材は、Ｕ字形状をした２本の腕部の間で、前記補強心線を挟み込むように設けられていることを特徴とするものである。
【００１４】
また、前記駆動ベルトは、前記係合部の突出方向と反対側の面に複数の凹凸からなる歯状部を有し、前記補強部材は、前記歯状部の凸部から前記係合部までを貫通して設けられていることを特徴とするものである。
【００１５】
また、本発明における駆動ベルトを用いたプリンタは、前記駆動ベルトにより印字ヘッドを往復移動させて印字を行うことを特徴とするものである。
【００１６】
【発明の実施の形態】
以下、図面に基づいて本発明における駆動ベルト及び駆動ベルトを用いたプリンタについて説明する。図１、図２は、本発明の第１の実施の形態に係わり、図１（ａ）は、駆動ベルトにキャリッジ駆動ピンを係合した状態の部分断面図。図１（ｂ）は、図１（ａ）の矢印Ｃ方向から見た側面図。図１（ｃ）は、図１（ｂ）の矢印Ｄ方向から見た部分断面図。図２は、バネ部材の正面図である。
【００１７】
図１、図２において、１は可撓性を有する駆動ベルトで、駆動ベルト１に形成されている、歯状部２、係合部３、くびれ部４及びベルト補強用の心線５の構成と、キャリッジ駆動ピン６の差し込み部７、係合脚８の構成は従来技術で説明したものと同様であり、説明は省略する。
【００１８】
本発明の駆動ベルト１には、駆動ベルト１より突出して設けられている係合部３が形成されている。該係合部３の突出方向と反対側の面に形成されている歯状部２の歯先２ａから係合部３の先端３ａまで貫通するように補強部材としてのバネ部材９が挿設されている。前記バネ部材９の先端部９ａが係合部３の先端３ａからはみ出さないように切断部９ｂのごとく切断する。前記バネ部材９のＵ字状の基部９ｃが歯状部２の歯先部２ａ側にあっても、歯先部２ａは、図示しないキャリッジ駆動プーリの送り歯のアンダーカットにより支障がない。また、バネ部材９の切断部９ｂが係合部３の先端３ａからはみ出さないようにするのは、特に、小型のミニプリンタにおいては、図示しないインクリボン送り歯車群の一部が、駆動ベルト１の走行の際に係合部３の先端３ａに隣接して配設されているので、両者が接触しないように隙間を確保するためである。
【００１９】
図２において、前記バネ部材９は、割りピンのようにＵ字形状に形成された、例えば材質がＳＷＰＢなどよりなるピアノ線である。前記バネ部材９の開口している先端部９ａ側は、切断、折り曲げ又はカラゲ代を含み長めに形成されている。図１（ｃ）に示すように、前記バネ線材９は、Ｕ字形状をした２本の腕部の間で、前記駆動ベルト１の長手方向の全周に埋設されているベルト補強用の心線５を挟み込むように挿設し、上記したように、切断部９ｂは、切断代を含む先端部９ａを係合部３の先端３ａ位置で切断したものである。
【００２０】
以上述べた構成の駆動ベルトの作用、効果について説明する。前記駆動ベルト１にキャリッジ駆動ピン６を固定し、そのキャリッジ駆動ピン６の差し込み部７を図示しないキャリッジに係合させ、駆動ベルト１を回動させることにより印字ヘッドを搭載したプラテン部に対して往復移動させる。その際にキャリッジ駆動ピン６には駆動ベルト１の走行方向に対して繰り返し押圧力Ｆ１、Ｆ２（図１（ｂ）参照）がかかることになる。そのため、駆動ベルト１の係合部３で、特にくびれ部４に相当の負荷がかかるが、補強部材であるバネ部材９の２本の腕部で補強用の心線５を挟み込むように挿設されているので、前記バネ部材４と心線５の相乗効果により、くびれ部４の強度は倍増し、くびれ部４近傍に発生する亀裂は回避される。
【００２１】
上述したように、本発明の駆動ベルトを用いて、キャリッジを往復移動させて印字を行うプリンタにおいて、駆動ベルトの変形、破壊が防止される。
【００２２】
図３は、本発明の第２の実施の形態の係わる、係合部に挿設したバネ部材の先端部の状態を示す側面図である。図２で示すバネ部材９を、係合部３の突出方向と反対側の面に形成されている歯状部２の歯先２ａから係合部３の先端３ａまで貫通するようにして、Ｕ字形状をした２本の腕部の間で、前記駆動ベルト１の長手方向の全周に埋設されているベルト補強用の心線を挟み込むように挿設し、バネ部材９の先端部９ａが係合部３の先端３ａからはみ出さないようにカラゲ部９ｄのようにカラゲたものである。
【００２３】
上記したように、バネ部材９のカラゲ部９ｄが、係合部３の先端３ａからはみ出さないようにカラゲることにより、係合部３に確実に挿設される。バネ部材９を挿設した作用、効果は上記した第１の実施の形態と同様に、駆動ベルトの変形、破壊が防止されるものである。
【００２４】
【発明の効果】
以上の説明で明らかなように、本発明の駆動ベルトは、係合部に補強部材であるバネ部材を設けることにより、係合部の変形、破壊を防止することができる。また、本発明の駆動ベルトを、駆動ベルトにより印字ヘッドを繰り返し往復移動させて印字を行うプリンタに用いても、長期にわたり信頼性を保持するものである。信頼性に優れた駆動ベルト及び駆動ベルトを用いたプリンタを提供することが可能である。
【図面の簡単な説明】
【図１】本発明の第１の実施の形態に係わり、図１（ａ）は、駆動ベルトにキャリッジ駆動ピンを係合した状態の部分断面図、図（ｂ）は、図１（ａ）の矢印Ｃ方向見た側面図、図１（ｃ）は、図１（ｂ）の矢印Ｄ方向見た部分断面図である。
【図２】図１のバネ部材の正面図である。
【図３】本発明の第２の実施の形態に係わり、係合部に挿設したバネ部材の先端部の状態を示す側面図である。
【図４】従来の駆動ベルトにキャリッジ駆動ピンを取り付ける状態の斜視図である。
【図５】図４の駆動ベルトの係合部の部分断面図である。
【符号の説明】
１　駆動ベルト
２　歯状部
２ａ　歯先
３　係合部
３ａ　先端
４　くびれ部
５　心線
６　キャリッジ駆動ピン
７　差し込み部
８　係合脚
９　バネ部材
９ａ　先端部
９ｂ　切断部
９ｃ　基部
９ｄ　カラゲ部
Ｆ１、Ｆ２　駆動ベルト走行時にキャリッジ駆動ピンにかかる押圧力
【図１】
2004092845.tif 000003
【図２】
2004092845.tif 000004
【図３】
2004092845.tif 000005
【図４】
2004092845.tif 000006
【図５】
2004092845.tif 000007